(57)【要約】【課題】プラズマディスプレイ装置において、パネルと保持板との分離を容易に行えるようにすることを目的とする。【解決手段】少なくとも前面側が透明な一対の基板を基板間に放電空間が形成されるように対向配置しかつ複数の放電セルを有するパネル１０と、このパネル１０が熱伝導性の接着材１７を介在させて保持される金属製のシャーシ部材１４とを備え、前記接着材の中に形状記憶材料から成るバネ状部材１８を配置したものである。【選択図】図４
2005315939.tif 000002
【特許請求の範囲】
【請求項１】
少なくとも前面側が透明な一対の基板を基板間に放電空間が形成されるように対向配置しかつ複数の放電セルを有するパネルと、このパネルが接着材で接着することにより保持される金属製の保持板とを備え、前記パネルと保持板との間に、加熱することにより前記パネルと前記保持板とを引き離す作用を発生する形状記憶材料から成るバネ状部材を配置したことを特徴とするプラズマディスプレイ装置。
【請求項２】
バネ状部材が、波形状の折り曲げ構造、コイル状の螺旋構造または複数の折り曲げ部から成る蛇腹構造を有していることを特徴とする請求項１に記載のプラズマディスプレイ装置。
【請求項３】
形状記憶材料が形状記憶合金または形状記憶ポリマーであることを特徴とする請求項１に記載のプラズマディスプレイ装置。
【請求項４】
少なくとも前面側が透明な一対の基板を基板間に放電空間が形成されるように対向配置しかつ複数の放電セルを有するパネルと、このパネルが接着材で接着することにより保持される金属製の保持板とを備え、前記パネルと保持板との間に、形状記憶材料から成るバネ状部材を配置し、パネルと保持板を分離する際に、前記形状記憶材料からなるバネ状部材に熱を加え、これが元の形状に復元しようとする作用により分離することを特徴とするプラズマディスプレイ装置の分離方法。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、図１０〜図１２に示すようにガラスが主材料のパネル１９とアルミニウムなどの金属製の保持板２０との接着をアクリル系、ウレタン系、またはシリコン系材料からなる両面接着材２１を用いて、または熱伝導シートを介在させて固定していた（特許文献１参照）。
【０００５】
尚、２２は駆動回路基板、２３はパネル１９と駆動回路が搭載された回路ブロック２２とを接続するためのフレキシブル配線基板である。
【特許文献１】特許第２８０７６７２号公報
【発明の開示】
【発明が解決しようとする課題】
【０００６】
一方、ディスプレイが何らかのトラブルで故障し、廃棄する時にリサイクルするためには、金属である保持板２０とガラスであるパネル１９との分離が必要である。しかし、パネル１９と保持板２０は輸送中や使用中に脱落してはならず、また熱伝導シートの使用時も熱効率の観点からより強固に接着する必要がある。そのため、パネル１９と保持板２０の分離は、接着材２１は単独では引っ張ると伸びて引きちぎれることから、図１２に示すようにまずパネル１９を粉々にして、そのガラス片をキサゲ２４で少しずつ保持板２０から除去しなければならなく、この分離作業は非常に時間と手間がかかるものであった。
【０００７】
また、接着材２１を溶解する溶剤の中にパネル１９と保持板２０を浸漬し、接着材２１を剥がすという方法が考えられるが、接着材２１は１ｍｍ〜２ｍｍの隙間で、周囲の接着材２１端部からの溶剤浸透しかなく、２日以上の浸漬時間を要してしまうという課題がある。
【０００８】
本発明はこのような問題を解決するもので、パネルと保持板との分離を容易に行えるようにすることを目的とする。
【課題を解決するための手段】
【０００９】
上記目的を達成するために本発明のプラズマディスプレイ装置は、少なくとも前面側が透明な一対の基板を基板間に放電空間が形成されるように対向配置しかつ複数の放電セルを有するパネルと、このパネルが接着材で接着することにより保持される金属製の保持板とを備え、前記パネルと保持板との間に、加熱することにより前記パネルと前記保持板とを引き離す作用を発生する形状記憶材料から成るバネ状部材を配置したものである。
【００１０】
この構成により、熱を加えられたバネ状部材の形状復元作用でパネルが保持板から剥がされ、パネルと保持板との分離を容易に行うことができる。
【００１１】
また、本発明のプラズマディスプレイ装置は、バネ状部材が波形状の折り曲げ構造を有しているものである。この構成により、熱を加えられたバネ状部材の形状復元作用でパネルが保持板から剥がされ、パネルと保持板との分離を容易に行うことができる。
【００１２】
また、本発明のプラズマディスプレイ装置は、バネ状部材がコイル状の螺旋構造を有しているものである。この構成により、熱を加えられたバネ状部材の形状復元作用でパネルが保持板から剥がされ、パネルと保持板との分離を容易に行うことができる。また、本発明のプラズマディスプレイ装置は、バネ状部材が複数の折り曲げ部から成る蛇腹構造を有しているものである。この構成により、熱を加えられたバネ状部材の形状復元作用でパネルが保持板から剥がされ、パネルと保持板との分離を容易に行うことができる。
【００１３】
また、本発明のプラズマディスプレイ装置は、バネ状部材が形状記憶合金から成るものである。この構成により、熱を加えられたバネ状部材の形状復元作用でパネルが保持板から剥がされ、パネルと保持板との分離を容易に行うことができる。また、本発明のプラズマディスプレイ装置は、バネ状部材が形状記憶ポリマーから成るものである。この構成により、熱を加えられたバネ状部材の形状復元作用でパネルが保持板から剥がされ、パネルと保持板との分離を容易に行うことができる。
【００１４】
さらに、本発明のプラズマディスプレイ装置の分離方法は、少なくとも前面側が透明な一対の基板を基板間に放電空間が形成されるように対向配置しかつ複数の放電セルを有するパネルと、このパネルが接着材で接着することにより保持される金属製の保持板とを備え、前記パネルと保持板との間に、形状記憶材料から成るバネ状部材を配置し、パネルと保持板を分離する際に、前記形状記憶材料からなるバネ状部材に熱を加え、これが元の形状に復元しようとする作用により分離するものである。この構成により、熱を加えられたバネ状部材の形状復元作用でパネルが保持板から剥がされ、パネルと保持板との分離を容易に行うことができる。
【発明の効果】
【００１５】
本発明によれば、形状記憶材料からなるバネ状部材を配置したことにより、廃棄時にパネルと保持板の分離を容易に行うことができ、製品のリサイクルに十分対応することができる。
【発明を実施するための最良の形態】
【００１６】
以下、本発明の一実施の形態によるプラズマディスプレイ装置について、図面を用いて説明するが、本発明の実施の態様はこれに限定されるものではない。
【００１７】
図１にプラズマディスプレイ装置におけるパネルの構造を示している。図１に示すように、ガラス基板などの透明な前面側の基板１上には、走査電極と維持電極とで対をなすストライプ状の表示電極２が複数列形成され、そしてその電極群を覆うように誘電体層３が形成され、その誘電体層３上には保護膜４が形成されている。
【００１８】
また、前記前面側の基板１に対向配置される背面側の基板５上には、走査電極及び維持電極の表示電極２と交差するように、オーバーコート層６で覆われた複数列のストライプ状のデータ電極７が形成されている。このデータ電極７間のオーバーコート層６上には、データ電極７と平行に複数の隔壁８が配置され、この隔壁８間の側面およびオーバーコート層６の表面に蛍光体層９が設けられている。
【００１９】
これらの基板１と基板５とは、走査電極および維持電極の表示電極２とデータ電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とデータ電極７との交点が位置する複数の放電セルが設けられ、その各放電セルには、赤色、緑色及び青色となるように蛍光体層９が一色ずつ順次配置されている。
【００２０】
図２にこのプラズマディスプレイパネルの電極配列を示している。図２に示すように走査電極および維持電極とデータ電極とは、Ｍ行×Ｎ列のマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている。
【００２１】
このような電極構成のプラズマディスプレイパネルにおいては、データ電極と走査電極の間に書き込みパルスを印加することにより、データ電極と走査電極の間でアドレス放電を行い、放電セルを選択した後、走査電極と維持電極との間に、交互に反転する周期的な維持パルスを印加することにより、走査電極と維持電極との間で維持放電を行い、所定の表示を行うものである。
【００２２】
図３に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００２３】
前記パネル１０は、アルミニウム等からなる放熱板を兼ねた保持板としてのシャーシ部材１４の前面に絶縁性の熱伝導性部材（図示せず）を介して接着材により接着することにより保持されている。そしてシャーシ部材１４の後面側には、パネル１０を表示駆動させるための複数の回路ブロック１５が取り付けられており、また、バックカバー１２を固定するためのボス部１４ａがダイカスト等による一体成型により突設されている。なお、このシャーシ部材１４は、アルミニウム平板に固定ピンを固定して構成してもよい。
【００２４】
前記熱伝導性部材は、パネル１０で発生した熱をシャーシ部材１４に効率よく伝え、放熱を行うためのものである。また、回路ブロック１５はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２５】
なお、図３に示す例では、パネル１０を保持板であるシャーシ部材１４に、間に熱伝導シートを介在させて接着材により接着しているが、接着材として熱伝導性の良好なものを用いることにより、熱伝導シートを省略し、パネル１０を直接シャーシ部材１４に接着材により接着してもよい。
【００２６】
図４に本発明の一実施の形態によるプラズマディスプレイ装置の主要部を示している。図において、１０はパネルであり、このパネル１０は、上述したように前面パネルを構成する基板１と背面パネルを構成する基板５とを重ね合わせ、周縁部をフリットガラスによる接合材１０ａで封着することにより構成されている。１６はパネル１０と回路ブロック１５とを接続するためのフレキシブル配線板である。１７はパネル１０をシャーシ部材１４に接着して保持するための接着材であり、厚さは１ｍｍ〜２ｍｍ程度である。１８はこの接着材１７中に配置した形状記憶材料からなるバネ状部材である。
【００２７】
図５は接着材１７の塗布形状を示す平面図（パネルは図示せず）で、図６は一点鎖線（Ａ）におけるパネル１０とシャーシ部材１４の接合部の断面図である。図５に示すように、複数の接着材１７が所定の間隔をあけて配設されており、その間に形状記憶材料からなるバネ状部材１８が配設されている。このバネ状部材１８は室温では図７（ａ）のように短冊形状の部材を中央で二つに折り曲げた構造をしており、ある一定の温度（以下、変態温度）以上に熱せられると、図７（ｂ）のように、それまで接していた二つの端面が離れるようにして厚み方向に伸び、本来記憶しているくの字形の形状を回復する。
【００２８】
ここで、バネ状部材１８としては、ニッケル−チタン系、銅−亜鉛−アルミニウム系といった形状記憶合金やウレタン系の形状記憶ポリマーが使用できる。また、上記以外の材料でも十分な形状記憶効果を有する材料であれば、バネ状部材１８として使用できることは言うまでもない。
【００２９】
上記のような構成のプラズマディスプレイ装置における、パネル１０とシャーシ部材１４との分離は次のようにして行う。プラズマディスプレイ装置をバネ状部材１８の変態温度以上に保たれた加熱炉で熱すると、パネル１０とシャーシ部材１４との間に配設されたバネ状部材１８が図７（ａ）の状態から図７（ｂ）の状態へと回復しようとするため、図８のように、パネル１０とシャーシ部材１４とはある程度引き剥がされた状態になる。この結果、パネル１０とシャーシ部材１４との接着強度は加熱前に比べて十分小さくなっているので、比較的弱い力で両者を分離することが可能となる。
【００３０】
ここで、上記実施の形態ではバネ状部材１８を二列で配置し、計６個用いているが、パネル１０とシャーシ部材１４との剥離作用を強めたい場合には、バネ状部材１８の使用個数を増やし、逆に剥離作用がそれほど必要でない場合には、使用個数を減らしてもよい。また、バネ状部材１８は上記実施の形態のようにパネル１０とシャーシ部材１４との間に均等に配設されていなくてもよく、一部の領域に集中的に配設してもよい。
【００３１】
また、バネ状部材１８は接着材１７の間に挟み込んだり、また接着材１７の片側に貼り付けたりしてもよい。また、液状の接着材をバネ状部材１８に塗りこんで使用してもよい。
【００３２】
また、バネ状部材１８として上記実施の形態では、短冊形状の部材を中央で二つ折りにしたものを用いているが、この他、多数の折り曲げ部を有する波型形状のものや（図９（ａ））、コイル状の螺旋構造を有するもの（図９（ｂ））、蛇腹構造を有するもの（図９（ｃ））などを用いてもかまわない。
【産業上の利用可能性】
【００３３】
以上の説明から明らかなように、本発明にかかるプラズマディスプレイ装置によれば、形状記憶材料からなるバネ状部材を配置したことにより、廃棄時にパネルと保持板の分離を容易に行うことができ、製品のリサイクルに十分対応することができる。
【図面の簡単な説明】
【００３４】
【図１】本発明の一実施の形態によるプラズマディスプレイ装置のパネル構造を示す斜視図
【図２】同パネルの電気配線図
【図３】プラズマディスプレイ装置の内部構成を示す分解斜視図
【図４】同プラズマディスプレイ装置の接着構造を示す概略断面図
【図５】同じく接着材の配置状況を示す平面図
【図６】同じくバネ状部材の配置状況を示す断面図
【図７】形状記憶効果によるバネ状部材の変形状況を示す斜視図
【図８】バネ状部材の変形によりパネルと保持板との接着部が剥離する様子を示す断面図
【図９】バネ状部材の一例を示す斜視図
【図１０】従来のプラズマディスプレイ装置の一部を切り欠いて示す平面図
【図１１】同プラズマディスプレイ装置の一部を断面で示す概略側面図
【図１２】同プラズマディスプレイにおいて、パネルと保持板とを分離する時の様子を示す概略側面図
【符号の説明】
【００３５】
１０  パネル
１４  シャーシ部材
１７  接着材
１８  バネ状部材
【図１】
2005315939.tif 000003
【図２】
2005315939.tif 000004
【図３】
2005315939.tif 000005
【図４】
2005315939.tif 000006
【図５】
2005315939.tif 000007
【図６】
2005315939.tif 000008
【図７】
2005315939.tif 000009
【図８】
2005315939.tif 000010
【図９】
2005315939.tif 000011
【図１０】
2005315939.tif 000012
【図１１】
2005315939.tif 000013
【図１２】
2005315939.tif 000014